(57)【要約】【課題】近年、デジタルスチルカメラなどの普及により、写真データ等のメディアデータを端末装置上で画像処理する機会が多くなってきており、フォーマットや色空間等が異なる画像データを一括して処理できる画像処理システムの構築が望まれている。【解決手段】画像処理を行うハードウエアを画像入力部１１側の前段画像処理部１２と画像出力部２６側の後段画像処理部２４とに分け、かつ当該後段画像処理部２４には画像出力部２６が必要とする色変換処理を行う機能を持たせ、画像入力部１１から入力され、圧縮部１６で圧縮された圧縮データと、ＰＣＩバス２７を介して外部から供給される圧縮データとを共通の伸長部２２で伸長処理して画像出力部２６に出力するとともに、後段画像処理部２４から前段画像処理部１２へ選択的にデータを受け渡すようにする。【選択図】図１
2006094109.tif 000002
【特許請求の範囲】
【請求項１】
入力される各種画像形式が異なる画像データを共通の形式に変換する変換手段と、
前記変換手段で共通の形式に変換された画像データを共通の画像処理系を経由して画像出力する出力手段と
を備えることを特徴とする画像処理装置。
【請求項２】
画像入力装置からの入力画像データに対して画像処理を行う第１の画像処理手段と、
前記第１の画像処理手段の出力データを受ける入力インターフェースと、
前記入力インターフェースからの画像データに対して圧縮処理を行う圧縮手段と、
標準プロトコルのバスインターフェースを通じてバスとの間で画像データの授受を行うバス制御手段と、
前記圧縮手段および前記バス制御手段から与えられる圧縮データに対して伸長処理を行う伸長手段と、
前記伸長手段で伸長処理された画像データを出力する出力インターフェースと、
前記出力インターフェースから出力される画像データに対して画像出力装置が必要とする色変換処理を行うとともに、処理後の画像データを前記第１の画像処理手段に対して選択的に供給する第２の画像処理手段と
を備えることを特徴とする画像処理装置。
【請求項３】
前記第１の画像処理手段は、前記入力画像データに対して拡大／縮小処理を行う機能を含む
ことを特徴とする請求項２記載の画像処理装置。
【請求項４】
前記出力インターフェースは、前記伸長手段で伸長処理された画像データに対してレンジの変更および属性変更の処理が可能である
ことを特徴とする請求項２記載の画像処理装置。
【請求項５】
前記入力インターフェースは、前記第１の画像処理手段からの画像データに対してレンジの変更および属性変更の処理が可能である
ことを特徴とする請求項２記載の画像処理装置。
【請求項６】
前記入力インターフェースは、前記第１の画像処理手段からの画像データの色相成分をダウンサンプリングする
ことを特徴とする請求項２記載の画像処理装置。
【請求項７】
前記出力インターフェースは、前記伸長手段で伸長処理された画像データの色相成分をアップサンプリングする
ことを特徴とする請求項２記載の画像処理装置。
【請求項８】
入力される各種画像形式が異なる画像データを共通の形式に変換し、
当該共通の形式に変換した画像データを共通の画像処理系を経由して画像出力する
ことを特徴とする画像処理方法。
【請求項９】
画像入力装置からの入力画像データに対して画像処理を行う第１ステップと、
前記第１ステップで処理された画像データを受ける第２ステップと、
前記第２ステップで受けた画像データに対して圧縮処理を行う第３ステップと、
標準プロトコルのバスインターフェースを通じてバスとの間で画像データの授受を行う第４ステップと、
前記第３ステップで処理した圧縮データおよび前記第４ステップで受けた圧縮データに対して伸長処理を行う第５ステップと、
前記第５ステップで伸長処理された画像データを出力する第６ステップと、
前記第６ステップで出力される画像データに対して画像出力装置が必要とする色変換処理を行う第７ステップと、
前記第７ステップで処理された画像データを選択的に前記第１ステップに供給する第８ステップと
を有することを特徴とする画像処理方法。
【発明の詳細な説明】
【技術分野】
【０００１】
本発明は、画像処理装置および画像処理方法に関し、特にサーバ内に蓄積された画像データを処理する画像処理装置および画像処理方法に関する。
【背景技術】
【０００２】
近年、画像データのデジタル処理技術の進歩が著しい。それに伴い、パーソナルコンピュータ等の複数の端末装置と、例えば画像読取部、画像処理部および画像出力部を有するデジタル複写機とをネットワークを介して相互に接続し、いずれかの端末装置から出力されるプリントデータをデジタル複写機に転送して当該複写機内の画像出力部にてプリント出力したり、あるいはデジタル複写機の画像読取部で読み取って得たコピーデータを転送要求があった端末装置に転送したりするなど、様々な形態での画像処理が可能な画像処理システムが提案されている（例えば、特許文献１参照）。
【０００３】
【特許文献１】特開平７−１２１３２６号公報
【発明の開示】
【発明が解決しようとする課題】
【０００４】
上記特許文献１記載の従来技術では、基本的に、フォーマットや色空間等が同じ画像データについての処理を前提としている。しかし、近年、デジタルスチルカメラなどの普及により、写真データ等のメディアデータを端末装置上で画像処理する機会が多くなってきている。それに伴って、当然のことながら、フォーマットや色空間等が異なる画像データを一括して処理できる画像処理システムの構築が望まれる。
【０００５】
しかしながら、従来は、フォーマットや色空間等が同じ画像データについての処理を前提としていることから、フォーマットや色空間等が異なる様々な画像データについて、それら画像データを合成したドキュメントをプリント出力したり、サムネイル表示したりすることができなかった。また、それを実現するにしても、従来の技術では、様々な画像データを蓄積したサーバ上のソフトウェアにて画像処理せざるを得ないため、処理速度が遅くなってしまうという課題がある。
【０００６】
本発明は、上記課題に鑑みてなされたものであって、その目的とするところは、様々な画像データに対してリアルタイムで画像処理できるとともに、それら画像データを合成したドキュメントをプリント出力したり、サムネイル表示したりするなど、種々の画像処理を行うことが可能な画像処理装置および画像処理方法を提供することにある。
【課題を解決するための手段】
【０００７】
上記目的を達成するために、本発明では先ず、入力される各種画像形式（フォーマットや色空間等）が異なる画像データを共通の形式に変換し、当該共通の形式に変換した画像データを共通の画像処理系を経由して画像出力するようにする。これにより、各種画像形式データに対して何れも同等の高画質を担保できる。
【０００８】
本発明による画像処理装置は、画像入力装置からの入力画像データに対して画像処理を行う第１の画像処理手段と、前記第１の画像処理手段の出力データを受ける入力インターフェースと、前記入力インターフェースからの画像データに対して圧縮処理を行う圧縮手段と、標準プロトコルのバスインターフェースを通じてバスに対して画像データの送受信を行うバス制御手段と、前記圧縮手段および前記バス制御手段から与えられる圧縮データに対して伸長処理を行う伸長手段と、前記伸長手段で伸長処理された画像データを出力する出力インターフェースと、前記出力インターフェースから出力される画像データに対して画像出力装置が必要とする色変換処理を行うとともに、処理後の画像データを前記第１の画像処理手段に対して選択的に供給する第２の画像処理手段とを備える構成となっている。
【０００９】
本発明による画像処理方法は、画像入力装置からの入力画像データに対して画像処理を行う第１ステップと、前記第１ステップで処理された画像データを受ける第２ステップと、前記第２ステップで受けた画像データに対して圧縮処理を行う第３ステップと、標準プロトコルのバスインターフェースを通じてバスに対して画像データの送受信を行う第４ステップと、前記第３ステップで処理した圧縮データおよび前記第４ステップで受けた圧縮データに対して伸長処理を行う第５ステップと、前記第５ステップで伸長処理された画像データを出力する第６ステップと、前記第６ステップで出力される画像データに対して画像出力装置が必要とする色変換処理を行う第７ステップと、前記第７ステップで処理された画像データを選択的に前記第１ステップに供給する第８ステップとを有する構成となっている。
【００１０】
上記の構成において、画像処理を行うハードウエアを画像入力装置側の前段処理部分と画像出力装置側の後段処理部分とに分け、かつ当該後段処理部分には画像出力装置が必要とする色変換処理を行う機能を持たせ、画像入力装置から入力され、圧縮処理された圧縮データとバス制御手段を介して外部から与えられる圧縮データとを共通の回路部分で伸長処理して画像出力装置に出力するとともに、後段処理部分から前段処理部分へ選択的にデータを受け渡すようにすることで、外部から与えられる画像データに対して画像入力装置からの画像データと同じハードウエアリソースを使用してリアルタイムで処理できる。これにより、外部から与えられる画像データについて、画質調整等の画像処理を高速に行うことができるとともに、画像入力装置からの画像データの場合と同等の画質の画像を得ることができる。
【発明の効果】
【００１１】
本発明によれば、入力される各種画像形式（フォーマットや色空間等）が異なる画像データを共通の形式に変換し、共通の画像処理系を経由して画像出力することで、各種画像形式データに対して何れも同等の高画質を担保できる。
【００１２】
また、外部から与えられる画像データに対して画像入力装置からの画像データと同じハードウエアリソースを使用してリアルタイムで処理できることで、画質調整等の画像処理を高速に行うことができるとともに、画像入力装置からの画像データの場合と同等の画質の画像を得ることができるため、様々な画像データに対してリアルタイムで画像処理できるとともに、それらデータを合成したドキュメントをプリント出力したり、サムネイル表示したりすることができる。
【発明を実施するための最良の形態】
【００１３】
以下、本発明の実施の形態について図面を参照して詳細に説明する。
【００１４】
図１は、本発明が適用される画像処理システムの全体の構成および当該画像処理システムに用いられる本発明の一実施形態に係る画像処理装置の内部構成を示すブロック図である。図１から明らかなように、本画像処理システムは、本実施形態に係る画像処理装置１と、サーバ２と、複数の端末装置、例えば２個の端末装置３，４とがネットワーク５を介して相互に接続された構成となっている。ネットワーク５は、ＬＡＮ（ローカルエリアネットワーク）や電話回線網などである。
【００１５】
ここでは、本実施形態に係る画像処理装置１として、例えば、画像入力部、画像処理部および画像出力部を有するデジタル複写機を想定している。ただし、本実施形態に係る画像処理装置１としては、デジタル複写機に限られるものではなく、例えば画像入力部を持たない画像処理装置であっても良い。
【００１６】
サーバ２は、例えばパーソナルコンピュータからなり、様々な画像データ、例えばプリントデータ、メディアデータ（写真データ等）、ＦＡＸ（ファクシミリ）データ、コピーデータ、スキャンデータ等を蓄積するファイルサーバである。ここでは、様々な画像データを蓄積するサーバを、端末装置２として画像処理装置１の外付けとした例を示しているが、当該サーバの機能を画像処理装置１に内蔵した構成を採ることも可能である。端末装置３，４は、例えばパーソナルコンピュータ等のいわゆるクライアントである。
【００１７】
続いて、本発明の一実施形態に係る画像処理装置１の具体的な構成について、図１を用いて説明する。
【００１８】
本実施形態に係る画像処理装置１は、画像入力部（ＩＩＴ）１１、前段画像処理部（ＩＰＳ１）１２、入力ＩＦ（インターフェース）１３、画像回転処理部１４、カットシフト部１５、圧縮部１６、バスＩＦ１７、ＩＯ（入出力部）１８、記憶装置１９、バッファ（１）２０、バッファ（２）２１、伸長部２２、出力ＩＦ２３、後段画像処理部（ＩＰＳ２）２４、ＩＯＴ（画像出力部）ＩＦ２５、画像出力部（ＩＯＴ）２６およびＣＰＵ２８を有する構成となっている。
【００１９】
この画像処理装置１において、画像入力部１１は、例えば、イメージセンサによって原稿の画像を読み取って得た画像データを入力する画像読取装置である。前段画像処理部１２は、画像入力部１１から入力される画像データに対して、地色検出、拡大／縮小、解像度変換等の画像処理を行う。入力ＩＦ１３は、前段画像処理部１２で種々の画像処理が施された画像データを受け、当該画像データの色相成分をダウンサンプリング（サブサンプリング）する。
【００２０】
画像回転処理部１４は、入力ＩＦ１３からの画像データに対してその画像を９０°，１８０°，２７０°等の回転角度だけ回転させる処理を必要に応じて行う。カットシフト部１５は、画像回転処理部１４を経た画像データに対してその画像の必要な部分を切り出するためのカット処理や、画像出力後の用紙の綴じ代やセンタリングをするためのシフト処理を行う。圧縮部１６は、カットシフト部１５を経た画像データに対して画像入力部１１での読み取りモードに応じた圧縮処理を行う。
【００２１】
バスＩＦ１７は、標準プロトコルのインターフェースであり、ＰＣＩ(Peripheral Component Interconnect)バス２７との間で画像データの受け渡しを行う。ＩＯ１８は、本画像処理装置１の入出力インターフェースである。メモリ装置１９は、例えばＩＯ１８を通して外部から入力される画像データ等を記憶する。バッファ（１）２０は、システムメモリであり、ＩＯ１８を通して外部から入力される画像データや、バスＩＦ１７からＰＣＩバス２７を通して供給される画像データを格納する。
【００２２】
バッファ（２）２１は例えばＤＲＡＭからなり、入力ＩＦ１３、画像回転処理部１４、カットシフト部１５、回転部１６、バスＩＦ１７、伸長部２２および出力ＩＦ２３等の各モジュール間のデータの受け渡しのバッファであり、またページメモリとしても使用される。伸長部２２は、画像入力部１１から入力され、圧縮部１６で圧縮処理された画像データおよびバスＩＦ１７を介して外部から入力される圧縮処理された画像データに対して、これら画像データの圧縮方式に対応した伸長方式にて伸長処理を行う。
【００２３】
出力ＩＦ２３は、レンジの変更を行うためのイメージＬＵＴ（ルックアップテーブル）と、画像の属性（絵柄部、黒文字部、色文字部等）のコード変更を行うためのタグ（ＴＡＧ）ＬＵＴとを有し、伸長部２２で伸長処理された画像データに対してレンジの変更および属性変更の処理を行うとともに、色相成分のアップサンプリングを行って後段画像処理部２４に出力する。
【００２４】
後段画像処理部２４は、出力ＩＦ２３から出力される画像データに対して、彩度調整処理、画像出力部２６が必要とする色変換処理（例えば、Ｌ* ａ* ｂ* （ＹＣｂＣｒ）→ＹＭＣＫ）、タグ生成処理、適応型フィルタリング処理、地色除去処理、出力階調補正処理およびスクリーン処理等の画像処理を行った後、画像出力部２６に対して当該出力部２６とのタイミングをとるＩＦ２５を介して出力するとともに、例えば外部から入力された画像データについては必要に応じて選択的に前段画像処理部１２に供給する。
【００２５】
画像出力部２６は、後段画像処理部２４からＩＦ２５を介して出力される画像データに基づいて、例えば用紙（記録紙）に画像を形成する画像形成装置である。ＣＰＵ２８は、画像処理装置１の制御を行うマイクロプロセッサである。
【００２６】
後段画像処理部２４から画像データが前段画像処理部１２に供給されたときは、当該前段画像処理部１２は、後段画像処理部２４での処理後の画像データに対して、地色検出、拡大／縮小、解像度変換等の画像処理を行う。この前段画像処理部１２で処理された画像データは、入力ＩＦ１３、画像回転処理部１４、カットシフト部１５および圧縮部１６を経て先述した各種の処理が必要に応じて施される。
【００２７】
上記構成の本実施形態に係る画像処理装置１は、例えば、スキャンモード、プリントモード、コピーモードおよび高速出力モードの４つの動作モードを有している。これら動作モードが設定されたときは、図１に点線の矢印で示すモード１〜４のデータパスを経由して画像処理が行われることになる。
【００２８】
すなわち、スキャンモード（モード１）では、画像入力部１１から入力された画像データが、前段画像処理部１２→入力ＩＦ１３→画像回転処理部１４→カットシフト部１５→圧縮部１６→バスＩＦ１７→バッファ（１）２０→ＩＯ１８のデータパスを経た後、記憶装置１９に蓄積される。
【００２９】
プリントモード（モード２）では、端末装置（クライアント１）３または端末装置（クライアント２）４からの画像データが、ＩＯ１８→バッファ（１）２０→バスＩＦ１７→伸長部２２→出力ＩＦ２３→ＩＯＴ  ＩＦ２５のデータパスを経た後、画像出力部２６で用紙に印刷されて出力される。
【００３０】
コピーモード（モード３）では、画像入力部１１から入力された画像データが、前段画像処理部１２→入力ＩＦ１３→画像回転処理部１４→カットシフト部１５→圧縮部１６→バスＩＦ１７→バッファ（１）２０→バスＩＦ１７→伸長部２２→出力ＩＦ２３→ＩＯＴ  ＩＦ２５のデータパスを経た後、画像出力部２６で用紙に印刷されて出力される。
【００３１】
高速出力モードは、最初の１枚目の画像データを高速で出力する動作モードである。この高速出力モード（モード４）では、画像入力部１１から入力された画像データが、前段画像処理部１２→入力ＩＦ１３→画像回転処理部１４→カットシフト部１５→圧縮部１６→伸長部２２→出力ＩＦ２３→ＩＯＴ  ＩＦ２５のデータパスを経た後、画像出力部２６で用紙に印刷されて出力される。
【００３２】
上述したように、入力される各種画像形式（フォーマットや色空間等）が異なる画像データを共通の形式に変換し、当該共通の形式に変換した画像データを共通の画像処理系を経由して画像出力するようにすることで、各種画像形式データに対して何れも同等の高画質を担保できる。
【００３３】
具体的には、画像処理を行うハードウエアを画像入力部１１側の前段画像処理部１２と画像出力部２６側の後段画像処理部２４とに分け、かつ後段画像処理部２４には画像出力部２６が必要とする色変換処理を行う機能を持たせ、画像入力部１１から入力され、圧縮部１６で圧縮された圧縮データと、ＰＣＩバス２７を介して外部から供給される圧縮データとを共通の伸長部２２で伸長処理して画像出力部２６に出力するとともに、後段画像処理部２４から前段画像処理部１２へ選択的にデータを受け渡す構成を採ることで、外部から供給される画像データに対して画像入力部１１からの画像データと同じハードウエアリソースを使用してリアルタイムで処理できる。
【００３４】
このように、外部から与えられる画像データに対して画像入力部１１からの画像データと同じハードウエアリソースを使用してリアルタイムで処理できることで、画質調整（地色除去、コントラストコントロール、多値化、拡大／縮小、色空間変換）等を高速に行うことができるとともに、画像入力部１１から入力される画像データの場合と同等の画質の画像を得ることができるため、様々な画像データに対してリアルタイムで画像処理できるとともに、それらデータを合成したドキュメントをプリント出力したり、サムネイル表示したりすることができる。
【００３５】
また、回転、カット／シフト、圧縮等の画像処理が全てページメモリからなるバッファ（２）２１を介して行われることから、当該バッファ（２）２１に高速性が要求されることになるが、入力ＩＦ１２において画像データの色相成分についてサブサンプリング（ダウンサンプリング）を行うようにしていることにより、バッファ（２）２１に対するバンド幅を狭めることができるため、当該バッファ（２）２１に要求される処理能力を低減できる。なお、後段の出力ＩＦ２３では、バッファ（２）２１からの画像データの色相成分についてアップサンプリングを行うようにしているため、入力ＩＦ１２でサブサンプリングしたとしても、通常の画像（絵）として再現できる。
【００３６】
次に、上記構成の本実施形態に係る画像処理装置１において、サーバである端末装置２に蓄積されている例えば４種類の画像データ１〜４に基づく４つの画像を、図２に示すように、１枚の用紙に印刷するいわゆるＮｕｐ（Ｎは２以上の整数、本例では４ｕｐ）する場合の画像処理について説明する。
【００３７】
ここで、４つのデータ１〜４の圧縮方式、色空間、タグ（ＴＡＧ）についてその一例を示す。
【００３８】
データ１はコピー／スキャンデータであり、圧縮方式：非可逆圧縮、色空間：Ｌ* ａ* ｂ* 、ＴＡＧ：コピー用である。データ２はメディアデータであり、圧縮方式：ＪＰＥＧ(Joint Photographic Experts Group)、色空間：ＹＣｂＣｒ、ＴＡＧ：無しである。データ３はプリントデータであり、圧縮方式：可逆圧縮、色空間：ＹＭＣＫ、ＴＡＧ：プリンタ用である。データ４はＦＡＸデータであり、圧縮方式：ＭＭＲ(Modified Modified Read)、色空間：白黒 、ＴＡＧ：無しである。
【００３９】
以下に、Ｎｕｐ（４ｕｐ）の場合の画像処理について、図２の概念図を用いて具体的に説明する。なお、ここでは、一例として、各データのサイズはＡ４縦で、Ｎｕｐ後のサイズはＡ４横とする。
【００４０】
データ１〜４が端末装置（サーバ）２からネットワーク５を介して本画像処理装置１に順に入力される。そして、これらデータ１〜４の画像処理に関して、端末装置（サーバ）２→バッファ（２）２１→伸長部２２→バッファ（２）２１→出力ＩＦ２３→後段画像処理部２４→前段画像処理部１２→入力ＩＦ１３→バッファ（２）２１→画像回転処理部１４→バッファ（２）２１のデータパスを経由してリアルタイムに行われる。
【００４１】
先ず、データ１に関して、色空間Ｌ* ａ* ｂ* で非可逆圧縮された画像データと可逆圧縮されたコピー用ＴＡＧ１が、ＰＣＩバス２７経由でバッファ（２）２１に展開される。このバッファ（２）２１に展開された画像データは、伸長部２２で伸長処理された後、出力ＩＦ２３を介して後段画像処理部２４に供給される。このとき、データ１はコピーデータであるため、出力ＩＦ２３では、ＴＡＧ  ＬＵＴ／ＩＭＡＧＥ  ＬＵＴについてはスルー、即ち入力されるデータをそのまま出力する。後段画像処理部２４では、Ｌ* ａ* ｂ* →ＹＭＣＫの色変換を実施する。
【００４２】
後段画像処理部２４での画像処理後のデータ１は、前段画像処理部１２に供給される。前段画像処理部１２では、５０％縮小の縮小処理を行う。この前段画像処理部１２で縮小されたデータ１は、入力ＩＦ１３を介してバッファ（２）２１に格納され、画像回転処理部１４による処理によって９０°または２７０°の回転処理が行われる。回転処理後のデータ１は、バッファ（２）２１に格納される。
【００４３】
このとき、Ｎｕｐイメージを作成するために、バッファ（２）２１内に1ページ分アサインする。その他、モジュール間のデータ授受でも、バッファ（２）２１を使用する。必用なデータ量は、ＪＰＥＧ等のブロックサイズや、回転処理で必要とするライン数から決定される。
【００４４】
以降、データ２〜３に関しても同様にして画像処理が行われる。なお、サーバ（端末装置２）内に格納されているデータについては解像度も様々であるため、前段画像処理部１２での画像処理の際に、解像度をコピーデータの場合と同じにする。
【００４５】
次に、メディアデータであるデータ２に関して、出力ＩＦ２３のＩＭＡＧＥ  ＬＵＴについては、コピーデータ（データ１）に合わせたレンジ設定にする。ＴＡＧ  ＬＵＴについては、メディアデータは写真が多いため、写真設定のＴＡＧでも良いし、後段画像処理部２４でＴＡＧ生成させて処理を行っても良い。後段画像処理部２４では、ＹＣｂＣｒ→ＹＭＣＫの色変換を行う。
【００４６】
次に、プリントデータであるデータ３に関しては、ＴＡＧがコピーデータと違うため、ＩＭＡＧＥ  ＬＵＴについてはスルー、即ち入力されるデータをそのまま出力し、ＴＡＧ  ＬＵＴについてはプリントＴＡＧ→コピーＴＡＧになるように変換する。このとき、データ３がプリントデータであり、色空間がＹＭＣＫであるため、後段画像処理部２４では色変換は行わない。
【００４７】
最後に、ＦＡＸデータであるデータ４に関して、出力ＩＦ２３ではＩＭＡＧＥ  ＬＵＴ／ＴＡＧ  ＬＵＴについては多値化(“１”→ＦＦｈ。“０”→“００”)を行い、後段画像処理部２４ではＹＭＣについて全て“００”に色変換し、Ｋについてはそのまま出力（スルー）する。
【００４８】
このようにして完成したＮｕｐデータは、色空間がＹＭＣＫで、ＴＡＧがコピーＴＡＧで構成され、画像出力部２５へ出力されるか、またはサーバ２内にコピーの圧縮方式で蓄積される。その後、オペレータの要求により、プリントモード（モード２）でプリント出力することも可能である。後段画像処理部２４でディスプレイの色空間（例えば、ＹＣｂＣｒ等）に色変換すれば、サーバ２やクライアント（端末装置３，４）のディスプレイでサムネイル表示も高速で行うことができることになる。
【００４９】
以上説明した一連の画像処理から明らかなように、画像処理を行うハードウエアを前段画像処理部１２と後段画像処理部２４とに分け、かつ後段画像処理部２４には画像出力部２６が必要とする色変換処理を行う機能を持たせ、さらに後段画像処理部２４から前段画像処理部１２にデータを受け渡すようにすることで、サーバ（端末装置２）内のデータを合成する処理をリアルタイムで実行できるとともに、コピーと同じ画質の合成画像を得ることができる。
【００５０】
また、サーバ内のデータの処理に、スキャンモードのハードウエアリソースを使用できるため、地色除去、コントラストコントロール、多値化、拡大／縮小、色空間変換等の画質調整を高速に実行できる。さらに、サーバのコピーデータについては、３コンポーネント（Ｌ* ａ* ｂ* 色空間）で蓄積できるため、ＹＭＣＫ色空間で蓄積する場合よりもデータ量を削減できる。
【００５１】
なお、上記実施形態においては、レンジの変更および属性変更の処理機能を出力ＩＦ２３に持たせ、伸長部２２で伸長処理された画像データに対してレンジの変更および属性変更の処理を施す構成としたが、レンジの変更および属性変更の処理機能を入力ＩＦ１３に持たせ、前段画像処理部１２からの画像データに対してレンジの変更および属性変更の処理を施す構成を採ることも可能である。
【図面の簡単な説明】
【００５２】
【図１】本発明が適用される画像処理システムの全体の構成および本発明の一実施形態に係る画像処理装置の内部構成を示すブロック図である。
【図２】Ｎｕｐ（４ｕｐ）の場合の画像処理についての概念図である。
【符号の説明】
【００５３】
１…画像処理装置、２…サーバ、３，４…端末装置（クライアント）、１１…画像入力部（ＩＩＴ）、１２…前段画像処理部（ＩＰＳ１）、１３…入力ＩＦ、１４…画像回転処理部、１５…カットシフト部、１６…圧縮部、１７…バスＩＦ、１８…ＩＯ（入出力部）、１９…記憶装置、２０…バッファ（１）、２１…バッファ（２）、２２…伸長部、２３…出力ＩＦ、２４…後段画像処理部（ＩＰＳ２）、２５…ＩＯＴ  ＩＦ、２６…画像出力部（ＩＯＴ）、２７…ＰＣＩバス、２８…ＣＰＵ
【図１】
2006094109.tif 000003
【図２】
2006094109.tif 000004